(57)【要約】【課題】上見切り縁と縦見切り縁との接合を簡便に行うことができ、雨仕舞が良好な開口部廻りの見切り縁用コーナー部材を提供する。【解決手段】窓上に配設される上見切り縁と窓の左右横側のいずれか一方の側に配設される縦見切り縁とに跨って装着され、かつ窓外周に配設される外装材の窓側端部を納める開口部廻りの見切り縁用コーナー部材１である。コーナー部材１は、上見切り縁に装着される上見切り縁装着部２と縦見切り縁に装着される縦見切り縁装着部３とが平面視Ｌ字状に一体に形成されている。上見切り縁装着部２及び縦見切り縁装着部３はそれぞれ、底板部４，５と前板部６，７と後板部８，９とを一体に備えて断面視略Ｊ字状に形成されており、前板部６，７と後板部８，９との間において外装材の窓側端部を配設可能としている。【選択図】図１
2013189770.tif 000002
【特許請求の範囲】
【請求項１】
窓上に配設される断面視略Ｊ字形状の上見切り縁と窓の左右横側のいずれか一方の側に配設される断面視略Ｊ字形状の縦見切り縁とに跨って装着され、かつ窓外周に配設される外装材の窓側端部を納める開口部廻りの見切り縁用コーナー部材であって、
前記上見切り縁に装着される上見切り縁装着部と前記縦見切り縁に装着される縦見切り縁装着部とが平面視Ｌ字状に一体に形成され、前記上見切り縁装着部及び前記縦見切り縁装着部はそれぞれ、底板部と、この底板部の一端部から起立する前板部と、前記底板部の一端部とは反対側に位置する他端部から起立し前記前板部と対向する後板部とを一体に備えて断面視略Ｊ字状に形成されており、前記前板部と前記後板部との間において前記外装材の窓側端部を配設可能としていることを特徴とする開口部廻りの見切り縁用コーナー部材。
【請求項２】
前記上見切り縁装着部には、前記底板部に、この底板部から突設する段差部が前記前板部と前記後板部との間に亘って設けられていることを特徴とする請求項１に記載の開口部廻りの見切り縁用コーナー部材。
【請求項３】
請求項１又は２のコーナー部材を用いて窓外周に配設される外装材の窓側端部を納める開口部廻りの見切り構造であって、
カバー部とベース部と底面部とを備える断面視略Ｊ字形状の上見切り縁及び縦見切り縁がそれぞれ窓上及び窓の左右横側に配設され、
前記上見切り縁及び前記縦見切り縁の底面部にそれぞれ前記上見切り縁装着部及び前記縦見切り縁装着部の底板部が重ね合わされ、前記上見切り縁及び前記縦見切り縁のカバー部の後面側にそれぞれ前記上見切り縁装着部及び前記縦見切り縁装着部の前板部が配置され、前記上見切り縁及び前記縦見切り縁のベース部の前面側にそれぞれ前記上見切り縁装着部及び前記縦見切り縁装着部の後板部が配置されて、前記上見切り縁装着部及び前記縦見切り縁装着部がそれぞれ前記上見切り縁及び前記縦見切り縁に装着されて、前記コーナー部材が前記上見切り縁と前記縦見切り縁とに跨って装着され、
前記見切り縁装着部及び前記縦見切り縁装着部の前板部と後板部との間に外装材の窓側端部が配設されることを特徴とする開口部廻りの見切り構造。
【請求項４】
前記上見切り縁の底面部には、前記コーナー部材と重ならない位置に水抜き孔が設けられていることを特徴とする請求項３に記載の開口部廻りの見切り構造。
【請求項５】
前記上見切り縁と前記コーナー部材の上見切り縁装着部との間にシーリング材が充填されていることを特徴とする請求項３又は４に記載の開口部廻りの見切り構造。
【請求項６】
前記上見切り縁と前記縦見切り縁とは一部材で形成され、折り曲げ加工により前記上見切り縁の底面部と前記縦見切り縁の底面部とが形成されていることを特徴とする請求項３から５のいずれか一項に記載の開口部廻りの見切り構造。
【請求項７】
前記上見切り縁及び前記縦見切り縁のカバー部の前面側に、平面視Ｌ字形状のコーナーキャップが前記上見切り縁と前記縦見切り縁とに跨って装着され、前記コーナー部材の前板部が前面側から前記コーナーキャップで覆われることを特徴とする請求項３から６のいずれか一項に記載の開口部廻りの見切り構造。
【発明の詳細な説明】
【技術分野】
【０００１】
本発明は、開口部廻りの見切り縁用コーナー部材とそれを用いた開口部廻りの見切り構造に関する。
【背景技術】
【０００２】
建物の躯体に開口部を設けてこの開口部にサッシ枠を嵌めこみ、窓本体をセットして採光用窓や掃き出し用窓など各種の窓を施工することが行われている。この窓の上下、及び左右横側には、外装材の端部を納める横枠側見切り縁と縦枠側見切り縁とが配設され、上下一対の横枠側見切り縁と左右一対の縦枠側見切り縁とで枠体が形成される。窓上の横枠側見切り縁には水抜き孔が設けられ、外装材を伝って横枠側見切り縁内部に侵入した水を排水するようにしている（例えば、特許文献１の図１参照）。
【先行技術文献】
【特許文献】
【０００３】
【特許文献１】特開２０１１−２６８４７号公報
【発明の概要】
【発明が解決しようとする課題】
【０００４】
上記枠体は、その四隅において、横枠側見切り縁と縦枠側見切り縁とが突き合わされて形成され、また、雨仕舞いが確保された構造を有している。このような枠体は、現場で以下のように施工される。
【０００５】
例えば、図６（ａ）に示されるように、一枚の金属薄板から折り曲げ加工によって前壁９１、底壁９２、及び後壁９３を有する断面視略Ｊ字状に形成した長尺体９０を準備し、これをサッシ枠外寸法に切断する。その際、底壁９２に水抜き孔９４を開ける。図６（ｂ）に示されるように、前壁９１の長手方向の両側端部を切断加工によって切り落とし、また、底壁９２と後壁９３との境界線の長手方向端部に切り込みを入れ、底壁９２の長手方向の両側の部分Ｑを矢印Ｘ方向に折り返す。この折り返された部分Ｑは、横枠側見切り縁９５と縦枠側見切り縁との間のコーナー部の雨仕舞いを確保するために設けられる。こうして、窓上の横枠側見切り縁９５（上見切り縁）を得る。
【０００６】
図６（ｃ）に示されるように、縦枠側見切り縁９７（縦見切り縁）についても、一枚の金属薄板から折り曲げ加工によって前壁９６、底壁９８、及び後壁９９を有する断面視略Ｊ字状に形成した長尺体９０’を準備し、これをサッシ枠外寸法に切断する。この長尺体９０’の前壁９６の長手方向の端部と底壁９８の長手方向の端部とを切断加工により切り落とすことによって、縦枠側見切り縁９７を得る。
【０００７】
こうして得られた横枠側見切り縁９５の部分Ｑを、図６（ｄ）に示されるように、縦枠側見切り縁９７の内側に差し込む。そして部分Ｑを縦枠側見切り縁９７の底壁９８に重ね合わせ、また横枠側見切り縁９５の後壁９３の長手方向一端部を縦枠側見切り縁９７の後壁９９の長手方向一端部に重ね合わせる。こうして図６（ｅ）に示されるように、横枠側見切り縁９５と縦枠側見切り縁９７とが接合され、雨仕舞いが確保された枠体Ｆを得る。横枠側見切り縁９５の内側底壁９２において、水抜き孔９４よりも縦枠側見切り縁９７側の位置にシーリング施工して防水性をさらに向上させることもできる。
【０００８】
このようにして雨仕舞いが確保された枠体Ｆが形成されるが、横枠側見切り縁９５と縦枠側見切り縁９７との接合のためには複雑な板金加工が必要であり、現場での施工に手間がかかるものであった。
【０００９】
本発明は、以上のとおりの事情に鑑みてなされたものであり、上見切り縁と縦見切り縁との接合を簡便に行うことができ、雨仕舞が良好な開口部廻りの見切り縁用コーナー部材とそれを用いた開口部廻りの見切り構造を提供することを課題としている。
【課題を解決するための手段】
【００１０】
上記の課題を解決するために、本発明の開口部廻りの見切り縁用コーナー部材は、窓上に配設される断面視略Ｊ字形状の上見切り縁と窓の左右横側のいずれか一方の側に配設される断面視略Ｊ字形状の縦見切り縁とに跨って装着され、かつ窓外周に配設される外装材の窓側端部を納める開口部廻りの見切り縁用コーナー部材であって、前記上見切り縁に装着される上見切り縁装着部と前記縦見切り縁に装着される縦見切り縁装着部とが平面視Ｌ字状に一体に形成され、前記上見切り縁装着部及び前記縦見切り縁装着部はそれぞれ、底板部と、この底板部の一端部から起立する前板部と、前記底板部の一端部とは反対側に位置する他端部から起立し前記前板部と対向する後板部とを一体に備えて断面視略Ｊ字状に形成されており、前記前板部と前記後板部との間において前記外装材の窓側端部を配設可能としていることを特徴とする。
【００１１】
この開口部廻りの見切り縁用コーナー部材においては、前記上見切り縁装着部には、前記底板部に、この底板部から突設する段差部が前記前板部と前記後板部との間に亘って設けられていることが好ましい。
【００１２】
また、本発明の開口部廻りの見切り構造は、上記のいずれかのコーナー部材を用いて窓外周に配設される外装材の窓側端部を納める開口部廻りの見切り構造であって、カバー部とベース部と底面部とを備える断面視略Ｊ字形状の上見切り縁及び縦見切り縁がそれぞれ窓上及び窓の左右横側に配設され、前記上見切り縁及び前記縦見切り縁の底面部にそれぞれ前記上見切り縁装着部及び前記縦見切り縁装着部の底板部が重ね合わされ、前記上見切り縁及び前記縦見切り縁のカバー部の後面側にそれぞれ前記上見切り縁装着部及び前記縦見切り縁装着部の前板部が配置され、前記上見切り縁及び前記縦見切り縁のベース部の前面側にそれぞれ前記上見切り縁装着部及び前記縦見切り縁装着部の後板部が配置されて、前記上見切り縁装着部及び前記縦見切り縁装着部がそれぞれ前記上見切り縁及び前記縦見切り縁に装着されて、前記コーナー部材が前記上見切り縁と前記縦見切り縁とに跨って装着され、前記見切り縁装着部及び前記縦見切り縁装着部の前板部と後板部との間に外装材の窓側端部が配設されることを特徴とする。
【００１３】
この開口部廻りの見切り構造においては、前記上見切り縁の底面部には、前記コーナー部材と重ならない位置に水抜き孔が設けられていることが好ましい。
【００１４】
また、開口部廻りの見切り構造においては、前記上見切り縁と前記コーナー部材の上見切り縁装着部との間にシーリング材が充填されていることが好ましい。
【００１５】
この開口部廻りの見切り構造においては、前記上見切り縁と前記縦見切り縁とは一部材で形成され、折り曲げ加工により前記上見切り縁の底面部と前記縦見切り縁の底面部とが形成されていることが好ましい。
【００１６】
この開口部廻りの見切り構造においては、前記上見切り縁及び前記縦見切り縁のカバー部の前面側に、平面視Ｌ字形状のコーナーキャップが前記上見切り縁と前記縦見切り縁とに跨って装着され、前記コーナー部材の前板部が前面側から前記コーナーキャップで覆われることが好ましい。
【発明の効果】
【００１７】
本発明によれば、上見切り縁と縦見切り縁との接合を簡便に行うことができ、雨仕舞が良好な開口部廻りの見切り縁用コーナー部材を提供することできる。また、このような開口部廻りの見切り縁用コーナー部材を用いることによって、雨仕舞が良好な省施工の構造とすることができる。
【図面の簡単な説明】
【００１８】
【図１】本発明の開口部廻りの見切り縁用コーナー部材の一実施形態を示した斜視図である。
【図２】開口部廻りの見切り構造を施工順に示した説明図である。
【図３】図２の上見切り縁及び縦見切り縁の説明図である。
【図４】開口部廻りの見切り構造の別の実施形態である。
【図５】（ａ）は図４の上見切り縁の説明図であり、（ｂ）は図４の縦見切り縁の説明図である。
【図６】窓上の横枠側見切り縁と縦枠側見切り縁との接合の説明図である。
【発明を実施するための形態】
【００１９】
以下、図面を参照して、本発明の開口部廻りの見切り縁用コーナー部材及び開口部廻りの見切り構造の一実施形態について説明する。
【００２０】
図１は、本発明の開口部廻りの見切り縁用コーナー部材の一実施形態を示した斜視図である。
【００２１】
本実施形態のコーナー部材１は、後述する上見切り縁と縦見切り縁とに跨って装着され、かつ窓外周に配設される外装材の窓側端部を納める構造を有している。かかる構造のコーナー部材１は、一部材として構成され、上見切り縁に装着される上見切り縁装着部２と縦見切り縁に装着される縦見切り縁装着部３とを有して平面視Ｌ字状に一体に形成されている。
【００２２】
このようなコーナー部材１の材料としては、例えば、硬質塩化ビニル樹脂、ポリプロピレン、ポリカーボネート樹脂などの合成樹脂や、ＥＰＤＭ、シリコーンゴムなどの合成ゴムなど、耐水性を有し、加工が容易な材料を挙げることができる。また、鉄板、アルミニウム板、銅板、アルミニウム・亜鉛合金メッキ鋼板などの金属薄板も例示することができる。このような材料を所定の形状に一体に成形したものを利用することができる。
【００２３】
上見切り縁装着部２及び縦見切り縁装着部３はそれぞれ、平板状の底板部４，５と、平板状の前板部６，７と、平板状の後板部８，９とを一体に備えている。前板部６，７は、底板部４，５の一端部から起立して形成され、後板部８，９は、底板部４，５の一端部とは反対側に位置する他端部から起立し前板部６，７とは対向して形成されている。後板部８，９の高さ寸法Ｔ１，Ｔ２は前板部６，７の高さ寸法ｔ１，ｔ２よりも長く設定されている。このようなコーナー部材１は、底板部４，５と前板部６，７と後板部８，９とで断面視略Ｊ字状に形成され、その外形形状は、上見切り縁及び縦見切り縁の内側形状に沿った形状とされている。後板部８，９の高さ寸法Ｔ１，Ｔ２は、後述する上見切り縁及び縦見切り縁のベース部の高さ寸法と同程度かそれ以下に設定されている。前板部６，７の高さ寸法ｔ１，ｔ２についても、上見切り縁及び縦見切り縁のカバー部の高さ寸法と同程度かそれ以下に設定されている。このような高さ寸法を有することによって、コーナー部材１を上見切り縁及び縦見切り縁により確実に装着させることができる。また、コーナー部材１の装着時、上見切り縁及び縦見切り縁のカバー部によって前板部６，７が覆われるので、外観性も良好となる。
【００２４】
コーナー部材１は全体として、上述したように、平面視Ｌ字状に一体に形成されているが、それを構成する底板部４，５、前板部６，７、及び後板部８，９についても同様である。すなわち、底板部４，５はそれぞれ、上見切り縁装着部２と縦見切り縁装着部３とにおいて連続して形成されており、平面視略Ｌ字形状を有している。前板部６，７もそれぞれ、上見切り縁装着部２と縦見切り縁装着部３とにおいて連続して形成されており、平面視略Ｌ字形状を有している。後板部８，９もそれぞれ、上見切り縁装着部２と縦見切り縁装着部３とにおいて連続して形成されており、平面視略Ｌ字形状を有している。
【００２５】
コーナー部材１は、上見切り縁と縦見切り縁とに跨って装着される構造を有しているため、上見切り縁と縦見切り縁とを容易に接合することができる。また、上見切り縁と縦見切り縁と間のコーナー部の雨仕舞が良好であり、防水性を向上させることができる。さらにまた、構造が簡単であるため、成形加工が容易であり、低コストでコーナー部材１を製造することができる。
【００２６】
本実施形態のコーナー部材１は、上見切り縁装着部２の底板部４に、段差部１０を設けることができる。段差部１０は、上見切り縁装着部２の内側底板部４に突設され、底板部４の内面より一段高く形成されている。この段差部１０は、前板部６と後板部８との間に亘って設けられてもいる。
段差部１０は、外装材を伝って上見切り縁内に浸入した水が、縦見切り縁内に流れないように堰として作用する。これによって、防水性をより向上させることができる。段差部１０によって堰きとめられた水は、後述するが、上見切り縁の底面部に設けられた水抜き孔から排水することができる。
【００２７】
上見切り縁装着部２の底板部４において、段差部１０が設けられる位置は特に限定されない。上見切り縁装着部２において納めた外装材から伝って侵入した水が縦見切り縁内に流れないようにするために、図１のように、上見切り縁装着部２の縦見切り縁装着部３側端部に段差部１０を設けることが望ましい。
【００２８】
このような段差部１０はシーリング施工によって形成することもできるが、上見切り縁装着部２の底板部４と一体のものとし、段差部１０を有するコーナー部材１を一体成形品として製造することができる。
【００２９】
次に、図２を参照して、本発明の開口部廻りの見切り構造の一実施形態について説明する。図２は、開口部廻りの見切り構造を施工順に示した説明図である。なお、図１に示した実施形態と同じ部分には同一の符号を付し、その説明を省略する。
【００３０】
図２（ａ）の上見切り縁２０は、窓上に取り付けられ、下地材に固定される。図２（ａ）の縦見切り縁４０は、窓と対面する外側から見て窓の右側横に取り付けられ、下地材に固定される。上見切り縁２０と縦見切り縁４０はそれぞれ、別部材として構成することもできるが、本実施形態のように一部材とすることもできる。例えば、図３に示されるように、鉄板、アルミニウム板、銅板、アルミニウム・亜鉛合金メッキ鋼板などの一枚の金属薄板を折り曲げ加工することによって前壁３１、底壁３２、及び後壁３３を有する断面視略Ｊ字状に形成した長尺体３０を準備する。この長尺体３０の長手方向長さは、上見切り縁２０の長さと縦見切り縁４０の長さの合計である。次に、前壁３１及び後壁３３において上見切り縁２０の長さに相当する箇所に切り込みＣを入れる。次に、この切り込みＣを含む面と底壁３２とが交わる線Ｄに沿って底壁３２をＹ方向にＬ字型に折り曲げる。これによって、上見切り縁２０と縦見切り縁４０とが構成され、底壁３２は、上見切り縁２０の底面部２１と縦見切り縁４０の底面部４１とを形成する。長尺体３０の前壁３１及び後壁３３はそれぞれ、上見切り縁２０においてはカバー部２２とベース部２３として、縦見切り縁４０においてはカバー部４２とベース部４３として形成される。
【００３１】
このように長尺体３０を分割することなく、一部材として、上見切り縁２０と縦見切り縁４０を構成することができるので、材料のロスを低減できる。また、上見切り縁２０と縦見切り縁４０を下地材に固定するに際しては、上見切り縁２０と縦見切り縁４０との取り合いを考慮せずに施工できるので施工時間を短縮できる。
【００３２】
上見切り縁２０の底面部２１には、コーナー部材の上見切り縁装着部と重ならない位置に水抜き孔２４を穿設することができる。外装材から伝って上見切り縁２０内に侵入した水はこの水抜き孔２４から排水することができる。
【００３３】
次に、図２（ｂ）に示されるように、コーナー部材１の上見切り縁装着部２を上見切り縁２０に装着し、コーナー部材１の縦見切り縁装着部３を縦見切り縁４０に装着する。その際、上見切り縁２０の底面部２１と縦見切り縁４０の底面部４１にそれぞれ上見切り縁装着部２の底板部４と縦見切り縁装着部３の底板部５を重ね合わせる。また、上見切り縁２０のカバー部２２と縦見切り縁４０のカバー部４２の後面側にそれぞれ上見切り縁装着部２の前板部６と縦見切り縁装着部３の前板部７を配置する。さらにまた、上見切り縁２０のベース部２３と縦見切り縁４０のベース部４３の前面側にそれぞれ上見切り縁装着部２の後板部８と縦見切り縁装着部３の後板部９を配置する。
【００３４】
コーナー部材１は、上述したように、平面視Ｌ字状に形成されているので、コーナー部材１を上見切り縁２０と縦見切り縁４０とに跨って装着することができる。また、コーナー部材１は、上見切り縁２０や縦見切り縁４０と同様、断面視略Ｊ字形状を有しており、その外形形状は、上見切り縁２０及び縦見切り縁４０の内側形状に沿った形状とされている。このため、上見切り縁２０と縦見切り縁４０の内側にコーナー部材１をより確実に装着することができる。その結果、上見切り縁２０と縦見切り縁４０との接合を簡便に行うことができ、雨仕舞が良好な構造とすることができる。
【００３５】
コーナー部材１を装着するにあたっては、あらかじめ上見切り縁２０に捨てシーリング施工することができる。例えば、図２（ｂ）では、上見切り縁２０の内側底面部２１においてＳで示す部分に捨てシーリング施工している。上見切り縁２０の内側ベース部２３に捨てシーリング施工することもできる。これによって、コーナー部材１を上見切り縁２０と縦見切り縁４０に嵌め込むことにより、コーナー部材１を容易に固定することができる。また、上見切り縁２０とコーナー部材１の上見切り縁装着部２との間にシーリング材が充填されるため、水密性が確保され、防水性を向上させることができる。
【００３６】
次に、図２（ｃ）に示されるように、金属サイディングなどの外装材８０の窓側端部８１を、上見切り縁２０と縦見切り縁４０に装着されたコーナー部材１内に納める。外装材８０は、窓側端部８１がコーナー部材１の前板部６，７と後板部８，９との間に配設されるように取り付けられる。
【００３７】
図２（ｄ）に示されるように、外装材８０が取り付けられた状態においては、コーナー部材１の前板部の一部分であるＲ部分が外観に現れた状態となっている。そこで、このＲ部分を前面側から覆うようにコーナーキャップ７０を装着することによって、外観よく仕上げることができる。
【００３８】
コーナーキャップ７０は、平面視Ｌ字形状を有し、断面コ字形状の水平片７１と断面コ字形状の垂直片７２とから一体に形成されている。コーナーキャップ７０の水平片７１の幅Ｗ１と上見切り縁２０のカバー部２２の高さＨ１とは略同一寸法とされている。また、コーナーキャップ７０の垂直片７２の幅Ｗ２と縦見切り縁４０のカバー部４２の高さＨ２とは略同一寸法とされている。このようなコーナーキャップ７０を、上見切り縁２０と縦見切り縁４０との間のコーナー部６０において前面側から被せ、リベットなどで固定して装着することで、外観に現れるコーナー部材１のＲ部分を覆うことができる。
コーナーキャップ７０が装着されると、コーナー部材１のＲ部分は外観に現れない。このため、コーナー部材１を外装材８０と同色の色揃えにする必要がなくなり、各種の外装材と組み合わせて使用することができる。これによって、コーナー部材１の管理コストや製造コストなどを低減することができる。
【００３９】
コーナーキャップ７０の材料としては、例えば、硬質塩化ビニル樹脂、ポリプロピレン、ポリカーボネート樹脂などの合成樹脂や、ＥＰＤＭ、シリコーンゴムなどの合成ゴムなど、耐水性を有し、加工が容易な材料を挙げることができる。また、鉄板、アルミニウム板、銅板などの金属薄板も例示することができる。このような材料を所定の形状に一体に成形したものを利用することができる
【００４０】
以上、上見切り縁と、窓の右側横の縦見切り縁との開口部廻りの見切り構造について説明したが、上見切り縁と、窓の左側横の縦見切り縁との開口部廻りの見切り構造についても同様であるので説明を省略する。
【００４１】
図４は、開口部廻りの見切り構造の別の実施形態である。なお、図１−図３に示した実施形態と同じ部分には同一の符号を付し、その説明を省略する。
本実施形態では、コーナーキャップを用いなくてもコーナー部材のＲ部分が外観に現れないように構成されている。このような開口部廻りの見切り構造において用いられる上見切り縁２５と縦見切り縁４５としては、例えば、図５に示されるような構成のものを採用することができる。
【００４２】
図５（ａ）の上見切り縁２５は、長尺体５０の前壁５２の長手方向端部において、前壁５２の先端から底壁５４側に向かって斜め４５°に切断され三角形状の部材５２１が切り落とされている。後壁５６及び底壁５４についてもそれぞれ、長手方向端部において矩形状の部材５６１，５５１が切り落とされている。残存する長尺体５０の前壁５２、後壁５６、及び底壁５４はそれぞれ、カバー部２７、ベース部２８、及び底面部２６として断面視略Ｊ字形状の上見切り縁２５を構成する。
図５（ｂ）の縦見切り縁４５は、長尺体５１の後壁５７の長手方向端部及び底壁５５の長手方向端部においてそれぞれ、矩形状の部材５７１，５５１が切り落とされている。残存する長尺体５１の前壁５３、後壁５７、及び底壁５５はそれぞれ、カバー部４７、ベース部４８、及び底面部４６として断面視略Ｊ字形状の縦見切り縁４５を構成する。
【００４３】
このような構成の上見切り縁２５と縦見切り縁４５とを平面視でＬ字型に突き合わせて、上見切り縁２５のカバー部２７の長手方向端部を縦見切り縁４５のカバー部４７の長手方向端部の前面側に重ねる。こうして、図４に示されるように、上見切り縁２５のカバー部２７の長手方向端部と縦見切り縁４５のカバー部４７の長手方向端部とは、コーナー部６０において、コーナー部材１の窓側端部の前面側に配置される。このため、図２（ｄ）のようなコーナー部材１の前板部の一部分であるＲ部分が外観に現れない。したがって、コーナーキャップを用いない本実施形態においても、コーナー部材を外装材と同色の色揃えにする必要がなくなり、各種の外装材と組み合わせて使用することができる。
【００４４】
以上、実施形態に基づき本発明を説明したが、本発明は上記の実施形態に何ら限定されるものではなく、その要旨を逸脱しない範囲内において各種の変更が可能である。
【符号の説明】
【００４５】
１  コーナー部材
２  上見切り縁装着部
３  縦見切り縁装着部
４，５  底板部
６，７  前板部
８，９  後板部
１０  段差部
２０，２５  上見切り縁
２１，２６  底面部
２２，２７  カバー部
２３，２８  ベース部
２４  水抜き孔
４０，４５  縦見切り縁
４１，４６  底面部
４２，４７  カバー部
４３，４８  ベース部
７０  コーナーキャップ
８０  外装材
８１  窓側端部
【図１】
2013189770.tif 000003
【図２】
2013189770.tif 000004
【図３】
2013189770.tif 000005
【図４】
2013189770.tif 000006
【図５】
2013189770.tif 000007
【図６】
2013189770.tif 000008